【手続補正書】
【提出日】平成19年3月26日(2007.3.26)
【手続補正１】
【補正対象書類名】明細書
【補正対象項目名】００１１
【補正方法】変更
【補正の内容】
【００１１】
これらの図において、Ｌ１は第１レンズユニット、Ｌ２は光軸方向に移動することにより変倍作用を行う第２レンズユニット、Ｌ３は光軸ＡＸＬ（図３参照）に対して略直交する平面（以下、光軸直交面という）内で、すなわち光軸に対して略直交する方向（以下、光軸直交方向という）に移動して振れ補正作用を行う第３レンズユニットである。なお、略直交するとは、直交するとみなせる程度に直交方向からずれている場合も含む意味である。この第３レンズユニットＬ３は、第３ａレンズサブユニット（請求項にいう第１のレンズユニットに相当する）Ｌ３ａと、該第３ａレンズサブユニットＬ３ａよりも像面側に配置された第３ｂレンズサブユニット（請求項にいう第２のレンズユニットに相当する）Ｌ３ｂとにより構成されている。また、Ｌ４は光軸方向に移動することにより焦点調節作用を行う第４レンズユニットである。
【手続補正２】
【補正対象書類名】明細書
【補正対象項目名】００２０
【補正方法】変更
【補正の内容】
【００２０】
４０１，４０２，４０３は第４レンズユニットＬ４を光軸方向に駆動するフォーカスモータ（ボイスコイルモータ）を構成するコイル、ドライブマグネットおよび磁束を閉じるためのヨーク部材である。ここで、コイル４０１に電流を流すと、マグネット４０２とコイル４０１との間に発生する磁力線相互の反発によるローレンツ力が発生し、フォーカス移動枠４とともに第４レンズユニットＬ４が光軸方向に駆動される。また、フォーカス移動枠４は、光軸方向に多極着磁された不図示のセンサマグネットを保持しており、後部鏡筒５におけるセンサマグネットに対向した位置には、センサマグネットの移動に伴う磁力線の変化を読み取るＭＲセンサ４０４がビス止め固定されている。ＭＲセンサ４０４からの信号を用いることで、フォーカス移動枠４、つまりは第４レンズユニットＬ４の所定の基準位置からの移動量を検出することができる。
【手続補正３】
【補正対象書類名】明細書
【補正対象項目名】００２７
【補正方法】変更
【補正の内容】
【００２７】
３１３は第３ａレンズサブユニットＬ３ａを保持する第１シフト鏡筒、３１４は第３ｂレンズサブユニットＬ３ｂを保持する第２シフト鏡筒（請求項にいう第２の保持部）である。第１シフト鏡筒３１３及び第２シフト鏡筒３１４により請求項にいう保持部材が構成される。第１シフト鏡筒３１３には、第３ａレンズサブユニットＬ３ａを保持するレンズ保持部（請求項にいう第１保持部）３１３ａと、該レンズ保持部３１３ａと第２シフト鏡筒３１４とを連結する連結部３１３ｂとが設けられている。連結部３１３ｂは、連結強度の確保のため、図１および図４の断面におけるレンズ保持部３１３ａの両側（請求項にいう第１の光軸直交方向の両側）に形成されている。第１シフト鏡筒３１３と第２シフト鏡筒３１４は、相対的な偏心をなくする、すなわち第３ａレンズサブユニットＬ３ａと第３ｂレンズサブユニットＬ３ｂの光軸を合わるための調整を行った後、接着剤３１３ｃにより接着固定される。
【手続補正４】
【補正対象書類名】明細書
【補正対象項目名】００３８
【補正方法】変更
【補正の内容】
【００３８】
なお、マグネットベース３０１が光軸直交方向に動くときの摩擦は、ボール３０９と金属プレート３０４との間およびボール３０９とポールホルダー３１０との間のそれぞれに発生する転がり摩擦のみであるため、上記吸引力が作用するにもかかわらず、マグネットベース３０１（つまりは第３レンズユニットＬ３）はきわめてスムーズに光軸直交面内で移動することができ、かつ微小な移動量制御も可能となる。なお、ボール３０９に潤滑油を塗布することで、更に摩擦力を低減させることができる。
【手続補正５】
【補正対象書類名】明細書
【補正対象項目名】００４４
【補正方法】変更
【補正の内容】
【００４４】
コイルユニット３５１は、まずシフトベース３１２に対して後ヨーク３１１を光軸直交方向に滑り込ませ、シフトベース３１２に対して圧入する。後ヨーク３１１とシフトベース３１２の境界部３５３に接着剤を塗布し、より確実に後ヨーク３１１をシフトベース３１２に対して固定してもよい。その後、コイル３０８を光軸方向にシフトベース３１２に対して組み込む。その上から、ホール素子３０７を既に半田付けしたＦＰＣ３０６をコイル３０８の上にかぶせ、最後にフレキ押え板３０５を引掛け部３５４に引っ掛けた上で、ビス３１６でシフトベース３１２に締め付け、コイル３０８やＦＰＣ３０６を抑える。
【手続補正６】
【補正対象書類名】明細書
【補正対象項目名】００４８
【補正方法】変更
【補正の内容】
【００４８】
ここで、本来第３ａレンズサブユニットＬ３ａと第３ｂレンズサブユニットＬ３ｂとを一体的に連結するための連結部３１３ｂをストッパーとしても用いることにより、連結部３１３ｂとは別にストッパー部を設ける必要がなく、シフトユニット３の構成の簡略化やレンズ鏡筒の小型化に寄与する。
【手続補正７】
【補正対象書類名】明細書
【補正対象項目名】００５７
【補正方法】変更
【補正の内容】
【００５７】
フォトインタラプタ２０５は、第２レンズユニットＬ２が光軸方向における基準位置に位置しているか否かを検出するズームリセットスイッチである。第２レンズユニットＬ２が基準位置に位置したことが検出された後、ステッピングモータ２０１に入力するパルス信号数を連続してカウントすることにより、第２レンズユニットＬ２の光軸方向の移動量（基準位置に対する位置）の検出を行うことができる。
【手続補正８】
【補正対象書類名】明細書
【補正対象項目名】００６２
【補正方法】変更
【補正の内容】
【００６２】
例えば、撮影者によりズームスイッチ４２が操作されると、コントロール回路３７は、ズームトラッキングメモリ４３の情報をもとに算出した第２レンズユニットＬ２と第４レンズユニットＬ４の所定の位置関係が保たれるように、現在の第２レンズユニットＬ２の光軸方向の絶対位置を示すカウント値と算出された第２レンズユニットＬ２のセットすべき位置とが一致し、かつ現在の第４レンズユニットＬ４の光軸方向の絶対位置を示すカウント値と算出された第４レンズユニットＬ４のセットすべき位置とが一致するように、ズームモータ３３とボイスコイルモータ３４の駆動を制御する。
【手続補正９】
【補正対象書類名】明細書
【補正対象項目名】００６４
【補正方法】変更
【補正の内容】
【００６４】
さらに、適正露出を得るために、コントロール回路３７は、ＡＥゲート３９を通過したＹ信号の出力の平均値を基準値として、絞りエンコーダ７０９の出力がこの基準値となるように絞りモータ３５の駆動を制御し、光量をコントロールする。
【手続補正１０】
【補正対象書類名】明細書
【補正対象項目名】００６７
【補正方法】変更
【補正の内容】
【００６７】
言い換えると、本実施例では、従来、光量調節ユニット７の像面側に配置されていた第３ａレンズサブユニットＬ３ａと第３ｂレンズサブユニットＬ３ｂのうち、第３ａレンズサブユニットＬ３ａと光量調節ユニット７の位置を入れ替えたものに相当する。この場合、変倍作用を行う第２レンズユニットＬ２をその可動範囲の後端に移動させたときに、従来に比べて該第２レンズユニットＬ２と第３ａレンズサブユニットＬ３ａとを接近させることができる。これにより、従来に比べて、ズームレンズ光学系の全長を長くすることなく、変倍効率（第２レンズユニットＬ２の移動量に対する変倍比の大きさ）を高めることができる。したがって、小型でありながら高い変倍効率を有する光学機器を実現することができる。